(57)【要約】【課題】スイッチを側面から見ても照光する部分を存在させることで押しボタンの動作状態の視認性を高めることができる照光押しボタンスイッチを提供する。【解決手段】押しボタン７が一端に固定されている非透光性の材料からなる筒形状の押棒５と、押棒の外側に配置され、押しボタンの押し込みによる押棒の軸方向移動を支持する非透光性の材料からなる筒形状のフレーム６と、押棒及びフレームが重なっている位置の押棒の内部空間に配置された光源１３ａと、を備えている。フレームには、光源と軸方向が一致するように周方向にフレーム貫通穴９が形成され、押棒には、フレーム貫通穴と周方向が同一になるように押棒貫通穴１０が形成されている。そして、光源の点灯時にフレーム貫通穴と押棒貫通穴とが対向するようにした。【選択図】図５
2018018758.tif 000002
【特許請求の範囲】
【請求項１】
押しボタンが一端に固定されている非透光性の材料からなる筒形状の押棒と、
前記押棒の外側に配置され、前記押しボタンの押し込みによる前記押棒の軸方向移動を支持する非透光性の材料からなる筒形状のフレームと、
前記押棒及び前記フレームが重なっている位置の前記押棒の内部空間に配置された光源と、を備え、
前記フレームには、前記光源と軸方向が一致するように周方向にフレーム貫通穴が形成され、
前記押棒には、前記フレーム貫通穴と周方向が同一になるように押棒貫通穴が形成されており、
前記光源の点灯時に前記フレーム貫通穴と前記押棒貫通穴とが対向することを特徴とする照光用押しボタンスイッチ。
【請求項２】
前記光源は、前記押しボタンが押し込みロック状態時に点灯することを特徴とする請求項１に記載の照光用押しボタンスイッチ。
【請求項３】
前記光源は、前記押しボタンが自由位置状態時に点灯することを特徴とする請求項１に記載の照光用押しボタンスイッチ。
【請求項４】
前記フレーム貫通穴及び前記押棒貫通穴は、それぞれ複数形成されていることを特徴とする請求項１乃至３の何れか１項に記載の照光用押しボタンスイッチ。
【請求項５】
前記押しボタンは、金属材料で形成されていることを特徴とする請求項１乃至４の何れか１項に記載の照光用押しボタンスイッチ。
【請求項６】
前記押しボタンは、透光性の合成樹脂材料で形成されていることを特徴とする請求項１乃至４の何れか１項に記載の照光用押しボタンスイッチ。
【請求項７】
前記フレーム貫通穴は、透光性を有するシートで閉塞されていることを特徴とする請求項１乃至６の何れか１項に記載の照光用押しボタンスイッチ。
【請求項８】
前記フレームの内周面に対向する前記押しボタンの全周に、弾性変形しながら前記フレームの内周面に接触する環状のパッキンを配置したことを特徴とする請求項７に記載の照光用押しボタンスイッチ。
【請求項９】
前記フレーム貫通穴は、前記フレームの内周側の開口部から前記フレームの外周側の開口部に向かうに従って穴形状が徐々に大きくなるように形成されていることを特徴とする請求項１乃至８の何れか１項に記載の照光用押しボタンスイッチ。
【発明の詳細な説明】
【技術分野】
【０００１】
本発明は、照光押しボタンスイッチに関する。
【背景技術】
【０００２】
操作盤、制御盤などの配電設備等で使用される押しボタンスイッチは、配電盤内に搭載した接点ユニットに、操作部を介してスイッチ本体を連結した構造であり、配電盤の前面を覆っている操作パネルの外側にスイッチ本体を配置し、スイッチ本体の押しボタンの押し操作を行うことで接点ユニットの開閉制御を行う装置である。
このような押しボタンスイッチの動作状態を視認し易くするために、スイッチ本体の内部に光源を配置し、透光性を有する材料で押しボタンを構成することで、押しボタンを照光させるようにした照光押しボタンスイッチが開発されている。
【０００３】
ところで、照光押しボタンスイッチは、操作パネルを前面から見たときに押しボタンが照光しているのが確認できるが、操作パネルを側方から見ると、押しボタンの照光を容易に確認できず、スイッチ本体の動作状態の視認性が低下するおそれがある。
そこで、例えば特許文献１のように、スイッチ本体の周囲の操作パネルの外側に、スイッチ本体の動作状態が確認できる照光装置を設けた照光押しボタンスイッチがある。
この特許文献１の照光押しボタンスイッチは、操作パネルを側方から見ても、操作パネルの外側に設けた照光装置でスイッチ本体の動作状態を確認できる。
【先行技術文献】
【特許文献】
【０００４】
【特許文献１】欧州特許出願第２２９９４６２号明細書
【発明の概要】
【発明が解決しようとする課題】
【０００５】
ところで、特許文献１の照光押しボタンスイッチの照光装置は、複数の発光素子を実装した制御基板を備えており、配電盤内の接点ユニットと制御基板との間を電気配線で接続し、接点ユニットからの電気信号を制御基板に入力することで発光素子を発光させる構造としている。
この特許文献１の照光押しボタンスイッチは、照光装置を組み立てる作業に手間と時間がかかり、照光装置の部品コストの面でも問題があるので、照光押しボタンスイッチの製造コストが嵩むおそれがある。
【０００６】
そこで、本発明は、安価なコストで製造することができるとともに、スイッチを側面から見ても照光する部分を存在させることで押しボタンの動作状態の視認性を高めることができる照光押しボタンスイッチを提供することを目的としている。
【課題を解決するための手段】
【０００７】
上記目的を達成するために、本発明の一態様に係る照光押しボタンスイッチは、押しボタンが一端に固定されている非透光性の材料からなる筒形状の押棒と、押棒の外側に配置され、押しボタンの押し込みによる記押棒の軸方向移動を支持する非透光性の材料からなる筒形状のフレームと、押棒及びフレームが重なっている位置の押棒の内部空間に配置された光源と、を備え、フレームには、光源と軸方向が一致するように周方向にフレーム貫通穴が形成され、押棒には、フレーム貫通穴と周方向が同一になるように押棒貫通穴が形成されており、光源の点灯時に前記フレーム貫通穴と押棒貫通穴とが対向するようにした。
【発明の効果】
【０００８】
本発明に係る照光押しボタンスイッチによれば、安価なコストで製造することができるとともに、スイッチを側面から見ても照光する部分を存在させることで押しボタンの動作状態の視認性を高めることができる。
【図面の簡単な説明】
【０００９】
【図１】本発明に係る第１実施形態の照光押しボタンスイッチを接点ユニットに接続した状態を示す斜視図である。
【図２】本発明に係る第１実施形態の照光押しボタンスイッチの押しボタンが自由位置に位置している際の要部を断面で示した図である。
【図３】本発明に係る第１実施形態の照光押しボタンスイッチの押しボタンが自由位置に位置している際の軸方向断面図である。
【図４】本発明に係る第１実施形態の照光押しボタンスイッチの押しボタンが押し込みロック状態とされている際の要部を断面で示した図である。
【図５】本発明に係る第１実施形態の照光押しボタンスイッチの押しボタンが押し込みロック状態とされている際の軸方向断面図である。
【図６】本発明に係る第２実施形態の照光押しボタンスイッチの押しボタンが自由位置に位置している際の軸方向断面図である。
【図７】本発明に係る第２実施形態の照光押しボタンスイッチの押しボタンが押し込みロック状態とされている際の軸方向断面図である。
【図８】本発明に係る第３実施形態の照光押しボタンスイッチの軸方向断面図である。
【図９】本発明に係る第４実施形態の照光押しボタンスイッチの軸方向断面図である。
【図１０】本発明に係る第５実施形態の照光押しボタンスイッチの内部を軸方向から示した概略図である。
【発明を実施するための形態】
【００１０】
次に、図面を参照して、本発明の第１から第５実施形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。また、図面相互間においても互いの寸法の関係や比率が異なる部分が含まれていることはもちろんである。
また、以下に示す第１から第５実施形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
【００１１】
［第１実施形態の照光押しボタンスイッチ］
図１で示す第１実施形態の照光押しボタンスイッチ１は、操作盤、制御盤などの配電設備等で使用される装置である。
第１実施形態の照光押しボタンスイッチ１は、図１に示すように、スイッチ本体２と、スイッチ本体２に連結した操作部３と、を備えた装置であり、操作部３が爪及び突起（不図示）との係合により接点ユニット４に着脱自在に連結される。
スイッチ本体２は、図２、図３に示すように、操作部３に連結した接点ユニット４を操作する部材である円筒形状の押棒５と、押棒５を軸方向に移動自在に支持する円筒形状のフレーム６と、押棒の上端に固定された押しボタン７と、押しボタン７の裏面に設けた記名板８と、を備えている。
【００１２】
フレーム６は、非透光性の合成樹脂材料で形成され、大径部６ａと、小径部６ｂとを備えた段付き円筒形状であり、小径部６ｂの外周には雄ネジ部６ｃが形成されている。
フレーム６の大径部６ａには、外周面から内周面まで径方向に貫通するフレーム貫通穴９が、同一軸方向位置であって周方向に９０°の間隔をあけた位置に４個形成されている。これらフレーム貫通穴９の外周面側の開口部及び内周面側の開口部は、同一形状の四角形状で形成されている。
押棒５は、非透光性の合成樹脂材料で形成した部材であり、フレーム６の小径部６ｂの内周面に接触しながら軸方向に移動し、上端に固定した押しボタン７の大径部６ａ側の上端が開口部から突出する自由位置（図２参照）、或いは押しボタン７が大径部６ａの内部に入り込む位置（図４参照）まで移動させる。
【００１３】
押しボタン７の連結位置に近い押棒５の上端側には、外周面から内周面まで径方向に貫通する押棒貫通穴１０が、同一軸方向位置であって周方向に９０°の間隔をあけた位置に４個形成されている。これら押棒貫通穴１０の外周面側の開口部及び内周面側の開口部は同一形状の四角形状で形成されている。
これら４個の押棒貫通穴１０の周方向位置は、フレーム６の大径部６ａに形成した４個のフレーム貫通穴９の周方向位置と一致している。
そして、フレーム６の内部には、押棒５に係合する復帰バネ（不図示）が配置されており、この復帰バネは、押しボタン７が元の自由位置に戻るように、押棒５に対して上向きの力を作用している。
押しボタン７は、赤や緑などの色が着いた透光性を有する合成樹脂材料で形成した部材である。押しボタン７の裏面に設けた記名板８は、透光性を有する合成樹脂材料に文字が表示された部材であり、下方から光を照射すると、押しボタン７から文字を浮き出させる。
【００１４】
操作部３には、オルタネイト動作機構（不図示）と、図３に示す電球１３と、を備えている。
オルタネイト動作機構は、スイッチ本体２の自由位置に位置している押しボタン７を押し込むと、押しボタン７を押し込んだ位置で保持するとともに（以下、スイッチ本体２の押し込みロック状態と称する）、さらに、もう一度押しボタン７を押すと元の自由位置に押しボタン７が戻るようにしたロック型の位置保持方式（プッシュオン・プッシュオフ方式）とする機構である。
電球１３は、操作部３に設けた接点部（不図示）に接続され、図３に示すように、その発光部１３ａが、フレーム６の大径部６ａと同一の軸方向位置とされて押棒５の内部に位置している。
【００１５】
図３に示すように、配電設備の操作パネル１１には、フレーム６の小径部６ｂが通過可能な貫通穴１１ａが形成されている。そして、配電盤内部の接点ユニット４に連結されている操作部３に、操作パネル１１の外側からスイッチ本体２の小径部６ｂを、貫通穴１１ａを通過させてから連結する。そして、小径部６ｂの雄ネジ部６ｃに螺合している締付けナット１２を、フレーム６の大径部６ａ側に移動することで、操作パネル１１の外側にスイッチ本体２が配置される。
操作部３の電球１３は、スイッチ本体２の押しボタン７が押し込みロック状態になると、接点ユニット４から電球用接点部を介して電流が供給されて点灯する。また、もう一度押しボタン７を押して押しボタン７が自由位置に移動すると、電流の供給が停止されて電球１３が消灯する。
押しボタン７が押し込みロック状態になると、接点ユニット４は常閉接点（ＯＮ）に切り替わり、押しボタン７が自由位置に移動すると、接点ユニット４は常開接点（ＯＦＦ）に切り替わる。
【００１６】
ここで、図４及び図５は、スイッチ本体２の押しボタン７が押し込みロック状態となり、操作部３の電球１３の発光部１３ａが点灯し、接点ユニット４が常閉接点（ＯＮ）に切替った状態を示している。
このスイッチ本体２の押しボタン７の押し込みロック状態では、押しボタン７とともに軸方向に移動した押棒５に形成されている４個の押棒貫通穴１０と、フレーム６の大径部６ａに形成した４個のフレーム貫通穴９との軸方向位置が一致し、これらフレーム貫通穴９及び押棒貫通穴１０と略同一の軸方向位置に電球１３の発光部１３ａが位置している。
【００１７】
これら４組の押棒貫通穴１０及びフレーム貫通穴９は、発光部１３ａに対して略同一の軸方向位置であり、各組の押棒貫通穴１０及びフレーム貫通穴９は、周方向位置も一致しているので、電球１３の発光部１３ａで発生した光の一部が、各組の押棒貫通穴１０及びフレーム貫通穴９を通過してフレーム６の外周から外部に放射される。
また、発光部１３ａで発生した光の一部は、透光性を有する記名板８及び押しボタン７を通過して外部に放射される。
なお、本発明の光源が、電球１３の発光部１３ａに対応している。
【００１８】
次に、第１実施形態の照光押しボタンスイッチ１の作用効果について説明する。
スイッチ本体２の押しボタン７が押し込みロック状態となり、電球１３の発光部１３ａが点灯すると、発光部１３ａで発生した光が４組の押棒貫通穴１０及びフレーム貫通穴９を通過してフレーム６の外周から放射され、スイッチ本体２の外周部が照光される。
また、発光部１３ａで発生した光は、透光性を有する押しボタン７を通過して外部に放射され、押しボタン７が照光される。
一方、スイッチ本体２の押しボタン７が自由位置に移動すると、電球１３の発光部１３ａが消灯し、スイッチ本体２の外周部は照光されない。また、押しボタン７も、発光部１３ａが消灯することで照光されない。
【００１９】
したがって、操作パネル１１の側方からスイッチ本体２を見ると、スイッチ本体２の外周部が照光されているので、押しボタン７が押し込みロック状態となって接点ユニット４が常閉接点（ＯＮ）であることを確認することができ、スイッチ本体２の外周部が照光されていないときには、押しボタン７が自由位置に移動して接点ユニット４が常開接点（ＯＦＦ）であることを確認することができるので、スイッチ本体２の動作状態の視認性を高めることができる。
また、操作パネル１１を前面側から見て、押しボタン７が照光されているか、照光されていないかを確認するだけで、接点ユニット４の常閉接点（ＯＮ）、常開接点（ＯＦＦ）を確認できるので、さらに、スイッチ本体２の動作状態の視認性を高めることができる。
【００２０】
また、フレーム６は、大径部６ａの同一軸方向に一列（周方向に９０°の間隔をあけた位置に４個）のフレーム貫通穴９を形成しており、例えば異なる軸方向位置に２列以上のフレーム貫通穴を形成していないので、フレーム６の部品強度は低下しない。
また、押棒５も、同一軸方向に一列（周方向に９０°の間隔をあけた位置に４個）の押棒貫通穴１０を形成しており、異なる軸方向位置に２列以上の押棒貫通穴を形成していないので、押棒５の部品強度も低下しない。
さらに、フレーム６の大径部６ａに形成した４個のフレーム貫通穴９と、押棒５に形成した４個の押棒貫通穴１０とに、電球１３の発光部１３ａの光を通過させるという簡便な構造で、スイッチ本体２の外周部を照光させる構造としているので、製造コストの大幅な削減を図ることができる。
なお、第１実施形態では、電球１３を使用したが、ＬＥＤなどの光源を使用しても同様の効果を奏することができる。
【００２１】
［第２実施形態の照光押しボタンスイッチ］
次に、図６及び図７は、第２実施形態の照光押しボタンスイッチ１５を示すものである。なお、図１から図５で説明した構成と同一構成部分には、同一符号を付してその説明は省略する。
第２実施形態の照光押しボタンスイッチ１５も、ロック型の位置保持方式（プッシュオン・プッシュオフ方式）のスイッチである。
そして、照光押しボタンスイッチ１５は、図６に示すように、押しボタン７が自由位置に位置しているときには、操作部３の電球１３が接点ユニット４から電球用接点部を介して電流が供給されて点灯し、押しボタン７が押し込みロック状態になると、電流の供給が停止されて電球１３が消灯するスイッチである。
【００２２】
また、第２実施形態の照光押しボタンスイッチ１５は、押しボタン７が自由位置に位置しているときに、押棒５に、フレーム６の大径部６ａに形成した４個のフレーム貫通穴９に対応する４個の押棒貫通穴１６が形成されている。
この第２実施形態の照光押しボタンスイッチ１５は、図６に示すように、スイッチ本体２の押しボタン７が自由位置に位置し、電球１３の発光部１３ａが点灯すると、発光部１３ａで発生した光が４組の押棒貫通穴１６及びフレーム貫通穴９を通過してフレーム６の外周から放射され、スイッチ本体２の外周部が照光される。
【００２３】
また、図７に示すように、スイッチ本体２の押しボタン７が押し込みロック状態となると、電球１３の発光部１３ａが消灯し、スイッチ本体２の外周部は照光されない。
したがって、操作パネル１１の側方からスイッチ本体２を見ると、スイッチ本体２の外周部が照光されているので、押しボタン７が自由位置に位置して接点ユニット４が常開接点（ＯＦＦ）であることを確認することができ、スイッチ本体２の外周部が照光されていないときには、押し込みロック状態となって接点ユニット４が常閉接点（ＯＮ）であることを確認することができるので、スイッチ本体２の動作状態の視認性を高めることができる。
【００２４】
［第３実施形態の照光押しボタンスイッチ］
次に、図８は、第３実施形態の照光押しボタンスイッチ１７を示すものである。
この第３実施形態の照光押しボタンスイッチ１７は、第１実施形態の照光押しボタンスイッチ１の変形例である。
第３実施形態の照光押しボタンスイッチ１７は、第１実施形態の透光性を有する合成樹脂材料で形成した押しボタン７に替えて、金属材料で形成した押しボタン１８が押棒５の上端に固定されている。
この第３実施形態の照光押しボタンスイッチ１７によると、押しボタン１８に透過性材料を用いなくとも視認性をもたせることができ、且つ金属材料を用いるので、合成樹脂材料で形成した第１実施形態の押しボタン７と比較して機械的強度を向上させることができる。
【００２５】
［第４実施形態の照光押しボタンスイッチ］
次に、図９は、第４実施形態の照光押しボタンスイッチ１９を示すものである。
この第４実施形態の照光押しボタンスイッチ１９は、第１実施形態の照光押しボタンスイッチ１の変形例である。
第４実施形態の照光押しボタンスイッチ１９は、フレーム６の大径部６ａに周方向に９０°の間隔をあけた形成した４個のフレーム貫通穴９の外周側の開口部が、透光性を有する防水シート２０で閉塞されている。
【００２６】
また、スイッチ本体２を構成している押しボタン７の全周に環状のパッキン溝２１が形成されているとともに、パッキン溝２１に環状の水密性パッキン２２が装着されている。
水密性パッキン２２は、弾性変形しながらフレーム６の内周面に接触している。
この第４実施形態の照光押しボタンスイッチ１９によると、フレーム６に形成した４個のフレーム貫通穴９の外周側の開口部が透光性を有する防水シート２０で閉塞されているとともに、押しボタン７の全周とフレーム６の内周面との間に水密性パッキン２２が装着されているので、防水性、防塵性に優れたスイッチ本体２とすることができる。
【００２７】
［第５実施形態の照光押しボタンスイッチ］
次に、図１０は、第５実施形態の照光押しボタンスイッチのスイッチ本体２３の要部を軸方向から示したものである。
この第５実施形態のスイッチ本体２３は、フレーム６の大径部６ａに周方向に９０°の間隔をあけた形成した４個のフレーム貫通穴２４が、第１実施形態の照光押しボタンスイッチ１で示したフレーム貫通穴９と異なる形状としている。
第５実施形態の大径部６ａに形成したフレーム貫通穴２４は、フレーム６の内周面で開口しているフレーム内周側開口部２５の形状に対してフレーム６の外周面で開口しているフレーム外周側開口部２６の形状が大きく形成されているとともに、フレーム内周側開口部２５からフレーム外周側開口部２６まで開口形状が徐々に大きくされている。
【００２８】
この第５実施形態のように、大径部６ａにフレーム貫通穴２４を形成すると、発光部１３ａから押棒貫通穴１０を通過してフレーム貫通穴２４に入った光は、フレーム内周側開口部２５からフレーム外周側開口部２６まで通過することで広い範囲で照射される。したがって、スイッチ本体２３の外周の照光範囲が拡大するので、スイッチ本体２３の動作状態の視認性をさらに高めることができる。
【符号の説明】
【００２９】
１，１５，１７，１９  照光押しボタンスイッチ
２  スイッチ本体
３  操作部
４  接点ユニット
５  押棒
６  フレーム
６ａ  大径部
６ｂ  小径部
６ｃ  雄ネジ部
７，１８  押しボタン
８  記名板
９  フレーム貫通穴
１０，１６  押棒貫通穴
１１  操作パネル
１１ａ  貫通穴
１２  締付けナット
１３  電球
１３ａ  発光部
２０  防水シート
２１  パッキン溝
２２  水密性パッキン
２３  スイッチ本体
２４  フレーム貫通穴
２５  フレーム内周側開口部
２６  フレーム外周側開口部
【図１】
2018018758.tif 000003
【図２】
2018018758.tif 000004
【図３】
2018018758.tif 000005
【図４】
2018018758.tif 000006
【図５】
2018018758.tif 000007
【図６】
2018018758.tif 000008
【図７】
2018018758.tif 000009
【図８】
2018018758.tif 000010
【図９】
2018018758.tif 000011
【図１０】
2018018758.tif 000012